(57)【特許請求の範囲】
【請求項１】
長期間使用実績がある積地以外の積地からのＬＮＧの受入の可否を判定する、ＬＮＧ受入可否判定プログラムであって、ＬＮＧの組成値と比重と発熱量とＷｏｂｂｅ指数とをＬＮＧの特定性状値とし、
コンピュータを、
受入対象のＬＮＧの組成値と比重を入力する入力手段と、
前記入力手段で入力された組成値と比重に基づいて、前記受入対象のＬＮＧの発熱量とＷｏｂｂｅ指数とを算出する算出手段と、
前記長期間使用実績がある積地からのＬＮＧの特定性状値を記憶する性状値記憶手段と、
前記性状値記憶手段に記憶された特定性状値に基づいて、受入可能なＬＮＧの特定性状値の基準値を設定する基準値設定手段と、
前記受入対象のＬＮＧの特定性状値が、前記基準値設定手段で設定された基準値内であるか否かに基づいて、前記受入対象のＬＮＧを受入可能か否か判定する判定手段、
として機能させ、前記基準値設定手段による設定方法が選択可能となっていることを特徴とするＬＮＧ受入可否判定プログラム。
【請求項２】
請求項１に記載のＬＮＧ受入可否判定プログラムにおいて、
前記性状値記憶手段は、ＬＮＧを使用する使用設備ごとに、前記長期間使用実績がある積地からのＬＮＧの特定性状値を記憶し、
前記判定手段は、前記使用設備ごとに前記判定を行う、ことを特徴とする。
【請求項３】
ＬＮＧを使用する各使用設備に設けられた使用設備コンピュータと、管理センタに設けられた管理コンピュータとが通信自在に接続され、長期間使用実績がある積地以外の積地からのＬＮＧの受入の可否を判定する、ＬＮＧ受入可否判定システムであって、ＬＮＧの組成値と比重と発熱量とＷｏｂｂｅ指数とをＬＮＧの特定性状値とし、
前記管理コンピュータは、前記使用設備コンピュータに対して、受入対象のＬＮＧの組成値と比重を送信し、
前記使用設備コンピュータは、
受信した組成値と比重に基づいて、前記受入対象のＬＮＧの発熱量とＷｏｂｂｅ指数とを算出する算出手段と、
前記長期間使用実績がある積地からのＬＮＧの特定性状値を記憶する性状値記憶手段と、
前記性状値記憶手段に記憶された特定性状値に基づいて、受入可能なＬＮＧの特定性状値の基準値を設定する基準値設定手段と、
前記受入対象のＬＮＧの特定性状値が、前記基準値設定手段で設定された基準値内であるか否かに基づいて、前記受入対象のＬＮＧを受入可能か否か判定する判定手段と、
を備え、前記基準値設定手段による設定方法が選択可能となっていることを特徴とするＬＮＧ受入可否判定システム。
【請求項４】
請求項３に記載のＬＮＧ受入可否判定システムにおいて、
前記性状値記憶手段は、該使用設備で長期間使用実績がある積地からのＬＮＧの特定性状値を記憶する、ことを特徴とする。
【請求項５】
長期間使用実績がある積地以外の積地からのＬＮＧの受入の可否を判定する、ＬＮＧ受入可否判定方法であって、ＬＮＧの組成値と比重と発熱量とＷｏｂｂｅ指数とをＬＮＧの特定性状値とし、
受入対象のＬＮＧの組成値と比重に基づいて、前記受入対象のＬＮＧの発熱量とＷｏｂｂｅ指数とを算出する算出ステップと、
前記長期間使用実績がある積地からのＬＮＧの特定性状値に基づいて、受入可能なＬＮＧの特定性状値の基準値を設定する基準値設定ステップと、
前記受入対象のＬＮＧの特定性状値が、前記基準値設定ステップで設定された基準値内であるか否かに基づいて、前記受入対象のＬＮＧを受入可能か否か判定する判定ステップと、
を備え、前記基準値設定ステップにおける設定方法が選択可能となっていることを特徴とするＬＮＧ受入可否判定方法。
【請求項６】
請求項５に記載のＬＮＧ受入可否判定方法において、
前記判定ステップにおいて、ＬＮＧを使用する使用設備ごとに、該使用設備で長期間使用実績がある積地からのＬＮＧの特定性状値と、前記受入対象のＬＮＧの特定性状値とに基づいて、前記判定を行う、ことを特徴とする。
【発明の詳細な説明】
【技術分野】
【０００１】
この発明は、ＬＮＧの受入可否を判定するプログラム等に関し、特に、新規契約等の積地・産地からのＬＮＧを受入可能か否か判定する、ＬＮＧ受入可否判定プログラム、ＬＮＧ受入可否判定システムおよびＬＮＧ受入可否判定方法に関する。
【背景技術】
【０００２】
ＬＮＧを発電所等で受け入れる際に、ＬＮＧの積地・産地が長期契約されている積地である場合には、長期間にわたっての使用実績があるため、詳細な調査、検討を行わずにＬＮＧを受け入れるのが通例である。これに対して、新規契約あるいはスポット的な契約の積地からのＬＮＧの場合には、詳細な調査、検討を行って、受入可能・使用可能なＬＮＧか否かを判定する必要がある。この際、過去に行った調査、検討事項や受入実績があるＬＮＧの性状データなどを参考にして、検討、判定を行っていた。
【０００３】
一方、混炭した石炭について、火力プラント等での使用の適否を容易に得られるようにする、という技術が知られている（例えば、特許文献１参照。）。この技術は、個々の石炭炭種の性状値と配合割合とに基づいて混炭後の性状値を算出し、この性状値が基準値内に収まっているか否かを判定するものである。
【先行技術文献】
【特許文献】
【０００４】
【特許文献１】特開２００７−１１５２０３号公報
【発明の概要】
【発明が解決しようとする課題】
【０００５】
ところで、従来、長期契約している積地からＬＮＧを受け入れることがほとんどであり、新規契約やスポット契約の積地からＬＮＧを受け入れることは希であった。このため、詳細な調査、検討を行って受入可否を判定する機会が少なく、調査、検討の内容や判定基準・指標などが明確でなかったり、周知、統一されていなかったりするおそれがあった。このため、受入可否の判定に長時間を要するばかりでなく、適正な判定が行えなかったり、担当者によって判定が異なったり、さらには、ＬＮＧの受け入れ等に関する経験が少ない担当者では判定が困難であったりするおそれがあった。
【０００６】
しかも、近年においては、新規契約やスポット契約の積地からＬＮＧを受け入れるケースが増加しており、受入可否を適正に判定できる技術の確立が求められている。一方、特許文献１の技術は、混炭した石炭を判定対象とするものであり、新規契約等の積地からのＬＮＧの受入可否を判定できるものではない。
【０００７】
そこでこの発明は、長期間使用実績がある積地以外の積地からのＬＮＧの受入可否を適正に判定可能な、ＬＮＧ受入可否判定プログラム、ＬＮＧ受入可否判定システムおよびＬＮＧ受入可否判定方法を提供することを目的とする。
【課題を解決するための手段】
【０００８】
上記課題を解決するために、請求項１の発明は、長期間使用実績がある積地以外の積地からのＬＮＧの受入の可否を判定する、ＬＮＧ受入可否判定プログラムであって、ＬＮＧの組成値と比重と発熱量とＷｏｂｂｅ指数とをＬＮＧの特定性状値とし、コンピュータを、受入対象のＬＮＧの組成値と比重を入力する入力手段と、前記入力手段で入力された組成値と比重に基づいて、前記受入対象のＬＮＧの発熱量とＷｏｂｂｅ指数とを算出する算出手段と、前記長期間使用実績がある積地からのＬＮＧの特定性状値を記憶する性状値記憶手段と、前記性状値記憶手段に記憶された特定性状値に基づいて、受入可能なＬＮＧの特定性状値の基準値を設定する基準値設定手段と、前記受入対象のＬＮＧの特定性状値が、前記基準値設定手段で設定された基準値内であるか否かに基づいて、前記受入対象のＬＮＧを受入可能か否か判定する判定手段、として機能させ、前記基準値設定手段による設定方法が選択可能となっていることを特徴とするＬＮＧ受入可否判定プログラムである。
【０００９】
この発明によれば、入力手段によって受入対象のＬＮＧの組成値と比重が入力されると、算出手段によって受入対象のＬＮＧの発熱量とＷｏｂｂｅ指数とが算出される。そして、入力手段で入力された組成値と比重と、算出手段で算出された発熱量とＷｏｂｂｅ指数からなる、受入対象のＬＮＧの特定性状値と、長期間使用実績がある積地からのＬＮＧの特定性状値とに基づいて、判定手段によって受入対象のＬＮＧを受入可能か否かが判定される。
【００１１】
この発明によれば、長期間使用実績がある積地からのＬＮＧの特定性状値に基づいて、基準値設定手段によって受入可能なＬＮＧの特定性状値の基準値が設定され、受入対象のＬＮＧの特定性状値がこの基準値内であるか否かに基づいて、判定手段によって受入対象のＬＮＧを受入可能か否かが判定される。
【００１２】
請求項２の発明は、請求項１に記載のＬＮＧ受入可否判定プログラムにおいて、前記性状値記憶手段は、ＬＮＧを使用する使用設備ごとに、前記長期間使用実績がある積地からのＬＮＧの特定性状値を記憶し、前記判定手段は、前記使用設備ごとに前記判定を行う、ことを特徴とする。
【００１３】
この発明によれば、判定手段によってＬＮＧを使用する使用設備ごとに、この使用設備で長期間使用実績がある積地からのＬＮＧの特定性状値と、受入対象のＬＮＧの特定性状値とに基づいて、受入対象のＬＮＧを受入可能か否かが判定される。
【００１４】
請求項３の発明は、ＬＮＧを使用する各使用設備に設けられた使用設備コンピュータと、管理センタに設けられた管理コンピュータとが通信自在に接続され、長期間使用実績がある積地以外の積地からのＬＮＧの受入の可否を判定する、ＬＮＧ受入可否判定システムであって、ＬＮＧの組成値と比重と発熱量とＷｏｂｂｅ指数とをＬＮＧの特定性状値とし、前記管理コンピュータは、前記使用設備コンピュータに対して、受入対象のＬＮＧの組成値と比重を送信し、前記使用設備コンピュータは、受信した組成値と比重に基づいて、前記受入対象のＬＮＧの発熱量とＷｏｂｂｅ指数とを算出する算出手段と、前記長期間使用実績がある積地からのＬＮＧの特定性状値を記憶する性状値記憶手段と、前記性状値記憶手段に記憶された特定性状値に基づいて、受入可能なＬＮＧの特定性状値の基準値を設定する基準値設定手段と、前記受入対象のＬＮＧの特定性状値が、前記基準値設定手段で設定された基準値内であるか否かに基づいて、前記受入対象のＬＮＧを受入可能か否か判定する判定手段と、を備え、前記基準値設定手段による設定方法が選択可能となっていることを特徴とする。
【００１５】
この発明によれば、管理コンピュータから使用設備コンピュータに対して、受入対象のＬＮＧの組成値と比重が送信されると、使用設備コンピュータの算出手段によって受入対象のＬＮＧの発熱量とＷｏｂｂｅ指数とが算出される。そして、管理コンピュータから送信された組成値と比重と、算出手段で算出された発熱量とＷｏｂｂｅ指数からなる、受入対象のＬＮＧの特定性状値と、長期間使用実績がある積地からのＬＮＧの特定性状値とに基づいて、判定手段によって受入対象のＬＮＧを受入可能か否かが判定される。
【００１７】
請求項４の発明は、請求項３に記載のＬＮＧ受入可否判定システムにおいて、前記性状値記憶手段は、該使用設備で長期間使用実績がある積地からのＬＮＧの特定性状値を記憶する、ことを特徴とする。
【００１８】
この発明によれば、各使用設備コンピュータによって使用設備ごとに、この使用設備で長期間使用実績がある積地からのＬＮＧの特定性状値に基づいて、受入対象のＬＮＧを受入可能か否かが判定される。
【００１９】
請求項５の発明は、長期間使用実績がある積地以外の積地からのＬＮＧの受入の可否を判定する、ＬＮＧ受入可否判定方法であって、ＬＮＧの組成値と比重と発熱量とＷｏｂｂｅ指数とをＬＮＧの特定性状値とし、受入対象のＬＮＧの組成値と比重に基づいて、前記受入対象のＬＮＧの発熱量とＷｏｂｂｅ指数とを算出する算出ステップと、前記長期間使用実績がある積地からのＬＮＧの特定性状値に基づいて、受入可能なＬＮＧの特定性状値の基準値を設定する基準値設定ステップと、前記受入対象のＬＮＧの特定性状値が、前記基準値設定ステップで設定された基準値内であるか否かに基づいて、前記受入対象のＬＮＧを受入可能か否か判定する判定ステップと、を備え、前記基準値設定ステップにおける設定方法が選択可能となっていることを特徴とする。
【００２１】
請求項６の発明は、請求項５に記載のＬＮＧ受入可否判定方法において、前記判定ステップにおいて、ＬＮＧを使用する使用設備ごとに、該使用設備で長期間使用実績がある積地からのＬＮＧの特定性状値と、前記受入対象のＬＮＧの特定性状値とに基づいて、前記判定を行う、ことを特徴とする。
【発明の効果】
【００２２】
請求項１、３、５の発明によれば、受入対象のＬＮＧの組成値と比重に基づいて発熱量とＷｏｂｂｅ指数とが算出されて、受入対象のＬＮＧの特定性状値が得られ、この特定性状値と長期間使用実績がある積地からのＬＮＧの特定性状値とに基づいて、受入対象のＬＮＧを受入可能か否かが判定される。このようにして、長期間使用実績がある積地以外の積地からのＬＮＧ、つまり、新規契約やスポット契約の積地からのＬＮＧであっても、長期間使用実績があるＬＮＧの特定性状値に基づいて、受入可否を適正に、しかも誰でも容易にかつ統一的に判定することが可能となる。
【００２３】
また、受入対象のＬＮＧの特定性状値が、受入可能なＬＮＧの特定性状値の基準値内であるか否かに基づいて、受入対象のＬＮＧを受入可能か否かが判定されるため、受入可否をより適正に判定することが可能となる。つまり、基準値内であれば受入可能と判断されるため、より適正な判定が可能となる。しかも、長期間使用実績がある積地からのＬＮＧの特定性状値に基づいて基準値が設定されるため、適正な基準値が設定され、この結果、受入可否をより適正に判定することが可能となる。また、受入対象のＬＮＧの特定性状値が基準値内であるか否かによって判定すればよいため、誰でも容易にかつ統一的に判定することが可能となる。
【００２４】
請求項２、４、６の発明によれば、ＬＮＧを使用する使用設備ごとに、この使用設備で長期間使用実績がある積地からのＬＮＧの特定性状値と、受入対象のＬＮＧの特定性状値とに基づいて、受入対象のＬＮＧの受入可否が判定される。つまり、ＬＮＧを受け入れる使用設備で長期間使用実績があるＬＮＧの特定性状値に基づいて受入可否を判定するため、この使用設備に適合した特定性状値に基づく判定が行われ、受入可否をより適正に判定することが可能となる。
【図面の簡単な説明】
【００２５】
【図１】この発明の実施の形態に係るＬＮＧ受入可否判定システムを示す概略構成図である。
【図２】図１のシステムの使用設備コンピュータの概略構成ブロック図である。
【図３】図２の使用設備コンピュータの集約データベースに記憶されている、長期契約積地からのＬＮＧの特定性状値の例を示す図である。
【図４】図２の使用設備コンピュータの集約データベースに記憶されている、スポット契約積地からのＬＮＧの特定性状値の例を示す図である。
【図５】図２の使用設備コンピュータの算出タスクの算出結果の例などを示す図である。
【図６】図２の使用設備コンピュータの基準値タスクで設定された基準値や、判定タスクによる判定結果などを示す図である。
【図７】図１のシステムによるＬＮＧ受入可否判定方法を示す図である。
【発明を実施するための形態】
【００２６】
以下、この発明を図示の実施の形態に基づいて説明する。
【００２７】
図１は、この発明の実施の形態に係るＬＮＧ受入可否判定システム１を示す概略構成図である。このＬＮＧ受入可否判定システム１は、長期間使用実績がある積地（産地）以外の積地からのＬＮＧの受入の可否を判定するシステムであり、ＬＮＧを使用する各発電所（使用設備）Ｐに設けられた使用設備コンピュータ３と、電力会社のＬＮＧ契約部署（管理センタ）Ｈに設けられた管理コンピュータ２とが、通信網ＮＷを介して通信自在に接続されている。ここで、ＬＮＧの組成値と比重と発熱量とＷｏｂｂｅ指数とを、ＬＮＧの特定性状値として以下に説明する。
【００２８】
管理コンピュータ２は、ＬＮＧの契約、受入に関する処理等を行うコンピュータであり、長期契約しており長期間使用実績がある積地（以下、適宜「長期契約積地」という）からのＬＮＧを受け入れる際には、このＬＮＧの特定性状値を各使用設備コンピュータ３に通知・送信する。すなわち、長期間の使用実績があり受入に問題がないため、受入対象のＬＮＧの特定性状値を通知するだけとし、受入の可否については問い合わせない。ここで、特定性状値のうちの一部、例えば、組成値と比重のみを通知し、発熱量やＷｏｂｂｅ指数は、使用設備コンピュータ３で算出するようにしてもよい。
【００２９】
一方、長期契約積地以外の積地からのＬＮＧを受け入れる際には、積地名や船便の識別情報と、受入対象のＬＮＧの組成値と比重を含む「判定要求」を各使用設備コンピュータ３に送信する。すなわち、長期間の使用実績がないため、このＬＮＧを受入可能か否か、つまり使用可能か否かを各発電所Ｐに問い合わせるものである。この際、すべての使用設備コンピュータ３に「判定要求」を送信してもよいし、各発電所ＰのＬＮＧ保有量などに応じて、一部の使用設備コンピュータ３のみに送信するようにしてもよい。
【００３０】
ここで、長期契約積地とは、ＬＮＧの供給に関して電力会社と長期的な契約を締結しており、長期間にわたって安定的にこの電力会社にＬＮＧを供給している実績がある積地・産地である。また、長期契約積地以外の積地には、新規契約の積地やスポット的（一時的・臨時的）な契約の積地を含み、この実施の形態では、適宜、「スポット契約積地」という。
【００３１】
使用設備コンピュータ３は、当該発電所ＰにおけるＬＮＧの受入や使用・消費などを管理するコンピュータであり、図２に示すように、主として、入力部（入力手段）３１と、通信部３２と、性状データベース（性状値記憶手段）３３と、算出タスク（算出手段）３４と、基準値タスク（基準値設定手段）３５と、判定タスク（判定手段）３６と、これらを制御などする中央処理部３７とを備えている。
【００３２】
入力部３１は、各種情報・データや指令などを入力するためのインターフェイスであり、例えば、各タスク３４〜３６を起動する指令を入力したり、スポット契約積地からの受入対象のＬＮＧの組成値と比重を入力したりする。
【００３３】
通信部３２は、管理コンピュータ２を含む外部装置と通信するための通信インターフェイスであり、例えば、管理コンピュータ２から「判定要求」を受信したり、後述する「判定結果」を管理コンピュータ２に送信したりする。
【００３４】
性状データベース３３は、この発電所Ｐで長期間使用実績がある積地からのＬＮＧの特定性状値などを記憶するデータベースである。すなわち、例えば図３に示すように、３つの長期契約積地Ａ〜Ｃが存在する場合、各長期契約積地Ａ〜ＣからのＬＮＧの組成値（各成分とその割合）と液比重とが記憶されている。さらに、組成値と液比重とに基づいて算出された発熱量とＷｏｂｂｅ指数とが記憶されている。
【００３５】
ここで、各長期契約積地Ａ〜ＣからＬＮＧを受け入れるごとに各特定性状値を記憶、蓄積してもよいし、各長期契約積地Ａ〜Ｃに対してＬＮＧの特定性状値の平均値を算出、記憶するようにしてもよい。また、この実施の形態では、窒素（Ｎ２）の組成値（窒素濃度）については、他の組成値に基づいて算出している。
【００３６】
さらに、性状データベース３３には、スポット契約積地からのＬＮＧの特定性状値も記憶されている。すなわち、管理コンピュータ２から「判定要求」を受信すると、図４に示すように、この「判定要求」内の積地名等とＬＮＧの組成値と比重が記憶されるとともに、後述するようにして算出された発熱量とＷｏｂｂｅ指数とが記憶される。
【００３７】
算出タスク３４は、管理コンピュータ２から受信した組成値と比重に基づいて、受入対象のＬＮＧの発熱量とＷｏｂｂｅ指数とを算出するプログラム・タスクである。すなわち、管理コンピュータ２から「判定要求」を受信した場合に、「判定要求」内の組成値と比重とに基づいて、スポット契約積地からのＬＮＧの発熱量とＷｏｂｂｅ指数とを算出する。ここで、この実施の形態では、低位発熱量（真発熱量）を発熱量として算出するが、高位発熱量（総発熱量）を発熱量として算出してもよい。また、Ｗｏｂｂｅ指数（ウォッベ指数）とは、ガス・燃料の燃焼性を判断するための重要な指数であり、ガスの発熱量と比重によって決定される値である。
【００３８】
具体的には、図５に示すように、各組成成分（ＣＨ４、Ｃ２Ｈ６等）に対して、所定の計算式に従って低位発熱量を算出し、これらを合算・合計してＬＮＧ全体の低位発熱量を算出するとともに、所定の計算式に従ってＷｏｂｂｅ指数を算出する。ここで、図５中網掛けされている数値が、入力値である。
【００３９】
基準値タスク３５は、性状データベース３３に記憶された長期契約積地からのＬＮＧの特定性状値に基づいて、受入可能なＬＮＧの特定性状値の基準値（判定基準）を設定するプログラム・タスクである。すなわち、長期契約積地からのＬＮＧは、受入、使用に問題がないため、このＬＮＧの特定性状値に基づいて、受入可能（使用可能）なＬＮＧを判定するための基準値を設定するものである。
【００４０】
この実施の形態では、この発電所Ｐで長期間使用実績がある積地からの全ＬＮＧの特定性状値から、特定性状値の最小値と最大値を割り出し、この最小値と最大値とから基準値を設定する。具体的には、図６に示すように、長期契約積地からのＬＮＧのＷｏｂｂｅ指数の最小値ＷＳをＷｏｂｂｅ指数の基準値とし、この基準値以上でなければならないものとする。同様に、長期契約積地からのＬＮＧの低位発熱量（合計）の最小値ＨＳを低位発熱量の基準値とし、この基準値以上でなければならないものとする。また、長期契約積地からのＬＮＧの窒素濃度（組成値）の最大値ＮＳを窒素濃度の基準値とし、この基準値以下でなければならないものとする。さらに、長期契約積地からのＬＮＧの液比重の最小値ＧＳ１と最大値ＧＳを液比重の基準値とし、この基準値内（最小値ＧＳ１以上最大値ＧＳ以下）でなければならないものとする。
【００４１】
ここで、性状データベース３３に記憶された長期契約積地からのＬＮＧの特定性状値、つまり、この発電所Ｐの長期契約積地のＬＮＧの特定性状値に基づいて基準値を設定しているが、この発電所Ｐで長期間の使用実績がない積地を含めたすべての長期契約積地のＬＮＧの特定性状値に基づいて基準値を設定してもよい。この場合、性状データベース３３に全長期契約積地のＬＮＧの特定性状値を記憶して、上記のような基準値の設定を行う。また、この発電所Ｐの長期契約積地のＬＮＧのうち、一部のＬＮＧのみに対して使用実績がある場合に、使用実績があるＬＮＧの特定性状値のみに基づいて基準値を設定するようにしてもよい。これにより、この発電所Ｐの使用実績に基づいて、より適正な基準値を設定することが可能となる。
【００４２】
また、長期契約積地のＬＮＧの特定性状値の最小値と最大値とから基準値を設定しているが、他の手法・設定方法によって基準値を設定してもよい。例えば、長期契約積地のＬＮＧの特定性状値の平均値や偏差（３σ）を算出し、算出した平均値や偏差を基準値とし、平均値以下でなければならない、平均値以上でなければならない、あるいは偏差以内でなければならない、としてもよい。さらに、このような設定方法を入力部３１で選択・入力可能にしてもよい。
【００４３】
判定タスク３６は、性状データベース３３に記憶され、この発電所Ｐで長期間使用実績がある積地からのＬＮＧの特定性状値と、受入対象のＬＮＧの特定性状値とに基づいて、受入対象のＬＮＧを受入可能か否か判定するタスク・プログラムである。具体的には、受入対象のＬＮＧの特定性状値、つまり、管理コンピュータ２から受信した組成値と比重と算出タスク３４で算出された発熱量とＷｏｂｂｅ指数が、基準値タスク３５で設定された基準値内であるか（判定基準を満たすか）否かに基づいて、受入対象のＬＮＧを受入可能か否か判定する。
【００４４】
すなわち、図６に示すように、受入対象であるスポット契約積地のＬＮＧのＷｏｂｂｅ指数が最小値ＷＳ以上であるか否かを判定し、以上であれば受入可（〇）と判定する。同様に、受入対象のＬＮＧの低位発熱量が最小値ＨＳ以上であるか否かを判定し、以上であれば受入可（〇）と判定する。また、受入対象のＬＮＧの窒素濃度が最大値ＮＳ以下であるか否かを判定し、以下であれば受入可（〇）と判定する。さらに、受入対象のＬＮＧの液比重が最小値ＧＳ１以上最大値ＧＳ以下であるか否かを判定し、この範囲内であれば受入可（〇）と判定する。
【００４５】
このように、基準値タスク３５で設定された基準値に基づいて判定しており、基準値タスク３５では、この発電所Ｐの長期契約積地のＬＮＧの特定性状値に基づいて基準値を設定しているため、この発電所Ｐで長期間使用実績がある積地からのＬＮＧの特定性状値に基づいて、受入可否を判定することとなる。これに対して、上記のように、基準値タスク３５において、この発電所Ｐで長期間の使用実績がない積地を含めたすべての長期契約積地のＬＮＧの特定性状値に基づいて基準値を設定する場合には、いずれかの発電所Ｐで長期間使用実績がある積地からのＬＮＧの特定性状値に基づいて、受入可否を判定することとなる。これにより、より多くの長期契約積地のＬＮＧの特定性状値に基づいた判定が可能となる。
【００４６】
さらに、基準値タスク３５において、この発電所Ｐの長期契約積地のＬＮＧのうち、使用実績があるＬＮＧの特定性状値のみに基づいて基準値を設定する場合には、この発電所Ｐで使用実績があるＬＮＧの特定性状値に基づいて、受入可否を判定することとなる。これにより、この発電所Ｐの使用実績に基づいた判定が可能となる。このように、基準値タスク３５における設定基準のＬＮＧによって、判定タスク３６の判定基準値が変わるが、設定基準のＬＮＧを入力部３１で選択可能にしてもよい。
【００４７】
次に、このような構成のＬＮＧ受入可否判定システム１の作用・動作および、ＬＮＧ受入可否判定システム１によるＬＮＧ受入可否判定方法について説明する。
【００４８】
まず、各発電所Ｐの使用設備コンピュータ３において、所定のタイミングで基準値タスク３５が起動され（ステップＳ１）、基準値設定ステップとして上記のようにして、受入可能なＬＮＧの特定性状値の基準値が設定される。ここで、所定のタイミングとは、性状データベース３３に記憶される長期契約積地のＬＮＧの特定性状値が更新・変更された場合や、入力部３１で基準値タスク３５が起動入力された場合などであり、あるいは定期的に基準値タスク３５を起動してもよい。
【００４９】
次に、ＬＮＧ契約部署Ｈにおいてスポット契約積地からのＬＮＧの受入、使用を検討する場合、管理コンピュータ２から各発電所Ｐの使用設備コンピュータ３に対して、この積地名や受入対象のＬＮＧの組成値と比重などを含む「判定要求」が送信される（ステップＳ２）。これを受けて各使用設備コンピュータ３で算出タスク３４が起動され（ステップＳ３）、算出ステップとして、受入対象のＬＮＧの発熱量とＷｏｂｂｅ指数とが算出される。
【００５０】
続いて、各使用設備コンピュータ３において判定タスク３６が起動され（ステップＳ４）、判定ステップとして上記のようにして、長期契約積地のＬＮＧの特定性状値と、受入対象のＬＮＧの特定性状値とに基づいて、受入対象のＬＮＧの受入可否が判定される。このような判定は、使用設備コンピュータ３ごと、つまり発電所Ｐごとに行われ、受入可能か否か（良否）を示す「判定結果」が、各使用設備コンピュータ３から管理コンピュータ２に送信されるものである。
【００５１】
以上のように、本ＬＮＧ受入可否判定システム１および本ＬＮＧ受入可否判定方法によれば、スポット契約積地からの受入対象のＬＮＧの組成値と比重に基づいて発熱量とＷｏｂｂｅ指数とが算出されて、受入対象のＬＮＧの特定性状値が得られ、この特定性状値と長期契約積地のＬＮＧの特定性状値とに基づいて、受入対象のＬＮＧを受入可能か否かが判定される。このようにして、スポット契約積地からのＬＮＧであっても、長期間使用実績があるＬＮＧの特定性状値に基づいて、受入可否を適正に、しかも誰でも容易にかつ統一的に判定することが可能となる。
【００５２】
また、受入対象のＬＮＧの特定性状値が、受入可能なＬＮＧの特定性状値の基準値内であるか否かに基づいて、受入対象のＬＮＧを受入可能か否か判定することで、受入可否をより適正に判定することが可能となる。つまり、基準値内であれば受入可能と判断されるため、より適正な判定が可能となる。しかも、長期契約積地のＬＮＧの特定性状値に基づいて基準値が設定されるため、適正な基準値が設定され、この結果、受入可否をより適正に判定することが可能となる。また、受入対象のＬＮＧの特定性状値が基準値内であるか否かによって判定すればよいため、誰でも容易にかつ統一的に判定することが可能となる。
【００５３】
さらに、ＬＮＧを使用する発電所Ｐごとに、この発電所Ｐで長期間使用実績がある積地からのＬＮＧの特定性状値に基づいて受入可否を判定することで、この発電所Ｐに適合した特定性状値に基づく判定が行われ、受入可否をより適正に判定することが可能となる。
【００５４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、判定タスク３６において、受入対象のＬＮＧの特定性状値が、基準値タスク３５で設定された基準値内であるか否かに基づいて、受入可否を判定しているが、その他の手法によって判定してもよい。例えば、受入対象のＬＮＧの特定性状値と長期契約積地のＬＮＧの特定性状値と差異が、所定の値以内であるか否かによって判定してもよい。
【００５５】
また、基準値設定ステップにおいて、基準値タスク３５によって基準値を設定する代わりに、次のようにして基準値を設定してもよい。すなわち、発電所Ｐでトラブルが発生した際のＬＮＧの特定性状値に基づいて基準値を設定したり、ガスタービンが変わった際に、交換後のガスタービンに適合するＬＮＧの特定性状値に基づいて基準値を設定したりしてもよい。さらに、各発電所Ｐの使用設備コンピュータ３において受入対象のＬＮＧの発熱量とＷｏｂｂｅ指数とを算出しているが、管理コンピュータ２において発熱量とＷｏｂｂｅ指数とを算出し、受入対象のＬＮＧの特定性状値を含む「判定要求」を各使用設備コンピュータ３に送信するようにしてもよい。
【００５６】
一方、次のようなＬＮＧ受入可否判定プログラムを汎用のコンピュータにインストールすることで、使用設備コンピュータ３などを構成してもよい。
【００５７】
すなわち、長期間使用実績がある積地以外の積地からのＬＮＧの受入の可否を判定する、ＬＮＧ受入可否判定プログラムであって、ＬＮＧの組成値と比重と発熱量とＷｏｂｂｅ指数とをＬＮＧの特定性状値とし、
コンピュータを、
受入対象のＬＮＧの組成値と比重を入力する入力手段（入力部３１）と、
前記入力手段で入力された組成値と比重に基づいて、前記受入対象のＬＮＧの発熱量とＷｏｂｂｅ指数とを算出する算出手段（算出タスク３４）と、
前記長期間使用実績がある積地からのＬＮＧの特定性状値を記憶する性状値記憶手段（性状データベース３３）と、
前記性状値記憶手段に記憶された特定性状値と、前記受入対象のＬＮＧの特定性状値とに基づいて、前記受入対象のＬＮＧを受入可能か否か判定する判定手段（判定タスク３６）、
として機能させるためのＬＮＧ受入可否判定プログラム。
【００５８】
また、コンピュータを、
前記性状値記憶手段に記憶された特定性状値に基づいて、受入可能なＬＮＧの特定性状値の基準値を設定する基準値設定手段（基準値タスク３５）、として機能させ、
前記判定手段は、前記受入対象のＬＮＧの特定性状値が前記基準値内であるか否かに基づいて、前記判定を行う。
【００５９】
このような受入可否判定プログラムを汎用のコンピュータにインストールすることで、スポット契約積地からの受入対象のＬＮＧの組成値と比重を入力手段で入力するだけで、このＬＮＧを受入可能か否かの判定結果を得ることができる。
【００６０】
さらに、前記性状値記憶手段において、ＬＮＧを使用する使用設備（発電所Ｐ）ごとに、この使用設備で長期間使用実績がある積地からのＬＮＧの特定性状値を記憶し、前記判定手段で、前記使用設備ごとに前記判定を行うことで、１つのコンピュータで、各使用設備における受入可否の判定を行うことができるものである。
【符号の説明】
【００６１】
１        ＬＮＧ受入可否判定システム
２        管理コンピュータ
３        使用設備コンピュータ
３１      入力部（入力手段）
３２      通信部
３３      性状データベース（性状値記憶手段）
３４      算出タスク（算出手段）
３５      基準値タスク（基準値設定手段）
３６      判定タスク（判定手段）
３７      中央処理部
Ｐ        発電所（使用設備）
Ｈ        ＬＮＧ契約部署（管理センタ）
【図１】
0005872527.tif 000002
【図２】
0005872527.tif 000003
【図３】
0005872527.tif 000004
【図４】
0005872527.tif 000005
【図５】
0005872527.tif 000006
【図６】
0005872527.tif 000007
【図７】
0005872527.tif 000008